(57)【要約】【課題】  ミュージシャン等のアーチストのプロモーションを行ったり、アーチストの楽曲を発表したり売り込んだりできるとともに、一般ユーザも気に入った楽曲を自由にダウンロードして入手できる配信サイト等を備えてなるアーチスト支援システムを提供する。【解決手段】  アーチスト３が登録した楽曲を一般ユーザ５に配信するアーチスト支援システム１の配信サイト２０は、アーチストおよび一般ユーザとインターネット２を介して接続される楽曲配信サーバ２１と、アーチストが登録した楽曲を登録、保管を行うデータベース２２を備える。そして、楽曲配信サーバは、アーチスト、一般ユーザを登録する登録管理制御部２３と、データベースから一般ユーザ会員からの要求に応じて楽曲を配信する配信制御部２４とを備える。さらに、アーチスト会員から登録した楽曲数に応じた課金を行う課金処理部２５を備える。【選択図】図１
2014120146.tif 000002
【特許請求の範囲】
【請求項１】
アーチストのプロモーションを行うプロモーションサイトと、アーチストの楽曲配信を行う配信サイトと、アーチストに関連するチケット、グッズの販売を行う販売サイトとを備え、
前記プロモーションサイトは、アーティスト、その支援を行う企業ユーザ及びクリエーター等により構築される公式サイトと、著名人のファン、サポータ等の一般ユーザにより構築される公認サイトとを有するとともに、
前記アーチストの種々の情報を蓄積記憶するデータベースと、前記各サイトでの表示、更新、その他を制御を行う管理サーバを備えてなり、
前記公認サイトには、電子掲示板が付設され、一般ユーザや企業ユーザ等による書込、閲覧可能に構成され、
前記配信サイトは、アーチストがアップロード登録した楽曲を、一般ユーザからの要求に応じて配信するための楽曲配信サーバと、アーチストがアップロード登録した楽曲を登録、保管するデータベースとを備え、
アーチストがアップロード登録した楽曲を、一般ユーザからの要求に応じて配信するように構成され、
前記販売サイトは、ユーザのイベントチケットの購入申込の受付、ユーザの認証などを行う受付、認証部と、ユーザの登録、イベントチケットの種別、席等の登録を行う登録データベース部と、チケット料金を決済するための決済部と、この決済によりチケット発券処理を行う発券処理部とを備え、
この発券処理部は、電子チケット生成部を備え、この電子チケット生成部においてチケット情報を含んだ電子チケットを生成し、これをユーザ側の携帯通信端末に送信することにより電子チケットとして使用可能に構成されていることを特徴とするアーチスト支援システム。
【請求項２】
請求項１記載のアーチスト支援システムにおいて、
前記配信サイトにおける楽曲配信サーバは、アーチスト、一般ユーザを会員登録する会員登録管理制御部と、前記データベースから一般ユーザ会員からの要求に応じて楽曲を配信する配信制御部とを備えるとともに、
前記アーチスト会員から登録した楽曲数に応じた課金、あるいは前記一般ユーザ会員への楽曲配信に応じた課金を行う課金処理部を備えていることを特徴とするアーチスト支援システム。
【請求項３】
請求項１または請求項２記載のアーチスト支援システムにおいて、
前記課金処理部は、前記アーチスト会員からの登録楽曲数による課金を月、年単位の一定期間毎に行うか、あるいは前記一般ユーザ会員への楽曲配信毎の販売額の一定の割合による課金を行うことを特徴とするアーチスト支援システム。
【請求項４】
請求項１、請求項２または請求項３記載のアーチスト支援システムにおいて、
前記課金処理部は、一般ユーザ会員からアーチスト会員の楽曲ダウンロードにより支払われる料金を代行して徴収する代行処理を行う代行処理部を備えていることを特徴とするアーチスト支援システム。
【発明の詳細な説明】
【技術分野】
【０００１】  本発明は、ミュージシャン等のアーチストが、有名、無名にかかわらず自作の楽曲等を発表したり売り込んだりし、また当該アーチストやその支援者、さらにそのファン、サポータ等がプロモーション等を行ったりし、さらに当該アーチストのチケットや各種のグッズを、多様化を図って販売したりすることが可能なアーチスト支援システムに関する。
【背景技術】
【０００２】  インターネットなどの通信網を利用することによりアーチストを支援するシステムとして、例えば、一般ユーザに音楽データを配信するための楽曲配信システムが、従来から種々提案されている（例えば、特許文献１参照）。【０００３】  すなわち、この種の楽曲配信システムでは、一般に、インターネット上に立ち上げたサーバに付設したデータベースに、有名アーチストの楽曲を蓄積しておき、ユーザの希望に応じてダウンロードさせることにより、楽曲配信を行うものである。この配信時に、ユーザはクレジットカードなどで料金をサーバ側に支払うようになっている。【０００４】  また、インターネットの普及と共に、様々な企業や商品、さらにはタレント、アーチスト等の紹介、あるいはユーザやファン等との仲介等といった情報開示を行う様々なプロモーションサイトも、増加の一途を辿っている。例えば、芸能関係のタレントやアーチスト等のプロモーション、特に宣伝、紹介を行うＷｅｂサイトは数多く存在する（例えば、特許文献２等参照）。【０００５】  また、タレント、アーチスト等の宣伝、紹介を行うほか、ファン等の一般ユーザとのコミュニケーションを行えるようにしたサイトも知られている  （例えば、特許文献３等参照）。【０００６】  また、例えば音楽コンサート、演劇、映画等を初め、種々のイベントの入場チケットを、インターネットを介して購入することも、一般的になっている。すなわち、イベントの主催業者あるいはチケット販売を行うチケット仲介販売業者が主催するサイト上には、チケット発行システムが構築され、チケット購入を希望するユーザがＰＣ或いはスマートフォン等の携帯通信端末によりインターネットを介して当該システムに接続することにより、ユーザの認証、決済等を行うことで、チケット情報やバーコードを記載した入場チケットを発行することが、一般に行われるようになってきている（例えば、特許文献４参照）。【０００７】  更に、最近では、ユーザ側の携帯通信端末でチケット情報を受信することで、従前の紙チケットの代わりとなる電子チケットを発行することも行われるようになってきている。
【先行技術文献】
【特許文献】
【０００８】
【特許文献１】  特開２００１−１８８９３５号公報
【特許文献２】  特開２００２−１６３４０２号公報
【特許文献３】  特開２００２−３２８９９４号公報
【特許文献４】  特開２００５−１４１３４９号公報
【発明の概要】
【発明が解決しようとする課題】
【０００９】  しかし、上述したアーチスト支援システムにあっては、楽曲配信、プロモーション、チケット販売等といった個々の機能を個別にもつだけのものが殆どであり、アーチスト支援として、アーチストの支援をトータル的に行えるようなものは存在せず、何らかの対策を講じることが望まれている。
また、例えば従来一般的な配信システムでは、ＣＤ、ＤＶＤ等で既に販売されている音楽データのみを配信できるものであり、未発表の楽曲は含まれていない。また、あまり有名でないアーチストや無名のアーチストの楽曲も含まれないことが多い。【００１０】  特に、昨今はインターネットの普及とともに、無名アーチストや一般の音楽愛好家にとって、自己の楽曲の発表の場所は増えつつあり、その要望も増大している。しかし、無名のアーチストにとって楽曲を一般ユーザに販売して活動資金などを得るといった状況には至っていない。【００１１】  また、一般ユーザにとっても、好みが多様化しており、有名アーチストのみならず、無名アーチストなどの楽曲のなかから、自分の好み、嗜好に応じた楽曲を楽しみたいという要望もある。【００１２】  さらに、従来から知られているプロモーションネットシステムでは、著名人自身あるいはその支援を行う企業ユーザ及びアーティスト、クリエーター等が構築した公式サイトや公認サイトあるいは勝手サイトを、ファン、サポータ等の一般ユーザに提供しているだけのものであり、一般ユーザが情報収集、整理、まとめを含めて構築、運営するプロモーションサイトとは言えないものであり、多様性に欠けるものであった。【００１３】  特に、最近はツイッタ（登録商標）やフェイスブック（登録商標）等といったソーシャルメディア（ＳＮＳ）も盛んになっており、これらのソーシャルネットワークサービスをも合わせて併用できる構成とすることが望まれる。そして、上述したプロモーションサイトにあっても、これらの機能を併用し、ファン、サポータ等の一般ユーザが情報収集、整理、まとめを含めた構築、運営を行えるプロモーションサイトの出現が求められている。【００１４】  また、一般ユーザや企業ユーザは、著名人に関する情報を、ユーチューブ（ｙｏｕｔｕｂｅ）、ウィキペディア（ｗｉｋｉｐｅｄｉａ）等の外部サイトコンテンツを検索して抽出、収集することも考えられており、これらの点をも考慮することが望まれている。【００１５】  さらに、上述した従来から知られているチケット発行システムでは、ユーザは紙チケットあるいは電子チケットを受取り、それを持参することで、イベントに入場しているだけのものであり、ユーザにとって面白みに欠ける。【００１６】  また、この種のイベントチケットでは、ダフ屋行為等の不当販売に対する対策、更に偽造等の問題に対する対策をも講じることが望まれている。【００１７】  本発明はこのような事情に鑑みてなされたものであり、ミュージシャン等のアーチストに関する各種の支援、例えば楽曲配信、プロモーション、チケット発行、発券などを行えるとともに、それらをトータル的に行うことにより、アーチストを支援することができ、例えば有名、無名にかかわらず、自作の楽曲を発表したり売り込んだりすることができるとともに、一般ユーザにとっても手軽に好みの楽曲を入手したり、アーチストのプロモーションを行ったり、チケットを購入したりすることができるアーチスト支援システムを得ることを目的とする。
【課題を解決するための手段】
【００１８】  このような目的に応えるために本発明（請求項１記載の発明）に係るアーチスト支援システムは、アーチストのプロモーションを行うプロモーションサイトと、アーチストの楽曲配信を行う配信サイトと、アーチストに関連するチケット、グッズの販売を行う販売サイトとを備え、前記プロモーションサイトは、アーチスト、その支援を行う企業ユーザ及びクリエーター等により構築される公式サイトと、著名人のファン、サポータ等の一般ユーザにより構築される公認サイトとを有するとともに、前記アーチストの種々の情報を蓄積記憶するデータベースと、前記各サイトでの表示、更新、その他を制御を行う管理サーバを備えてなり、前記公認サイトには、電子掲示板が付設され、一般ユーザや企業ユーザ等による書込、閲覧可能に構成され、前記配信サイトは、アーチストがアップロード登録した楽曲を、一般ユーザからの要求に応じて配信するための楽曲配信サーバと、アーチストがアップロード登録した楽曲を登録、保管するデータベースとを備え、アーチストがアップロード登録した楽曲を、一般ユーザからの要求に応じて配信するように構成され、前記販売サイトは、ユーザのイベントチケットの購入申込の受付、ユーザの認証などを行う受付、認証部と、ユーザの登録、イベントチケットの種別、席等の登録を行う登録データベース部と、チケット料金を決済するための決済部と、この決済によりチケット発券処理を行う発券処理部とを備え、この発券処理部は、電子チケット生成部を備え、この電子チケット生成部においてチケット情報を含んだ電子チケットを生成し、これをユーザ側の携帯通信端末に送信することにより電子チケットとして使用可能に構成されていることを特徴とする。【００１９】  本発明（請求項２記載の発明）に係るアーチスト支援システムは、請求項１記載のアーチスト支援システムにおいて、前記配信サイトにおける楽曲配信サーバは、アーチスト、一般ユーザを会員登録する会員登録管理制御部と、前記データベースから一般ユーザ会員からの要求に応じて楽曲を配信する配信制御部とを備えるとともに、前記アーチスト会員から登録した楽曲数に応じた課金、あるいは前記一般ユーザ会員への楽曲配信に応じた課金を行う課金処理部を備えていることを特徴とする。【００２０】  本発明（請求項３記載の発明）に係るアーチスト支援システムは、請求項１または請求項２記載のアーチスト支援システムにおいて、前記課金処理部は、前記アーチスト会員からの登録楽曲数による課金を月、年単位の一定期間毎に行うか、あるいは前記一般ユーザ会員への楽曲配信毎の販売額の一定の割合による課金を行うことを特徴とする。【００２１】  本発明（請求項４記載の発明）に係るアーチスト支援システムは、請求項１、請求項２または請求項３記載のアーチスト支援システムにおいて、前記課金処理部は、一般ユーザ会員からアーチスト会員の楽曲ダウンロードにより支払われる料金を代行して徴収する代行処理を行う代行処理部を備えていることを特徴とする。
【発明の効果】
【００２２】  以上説明したように本発明に係るアーチスト支援システムによれば、アーチストのプロモーションを行うプロモーションサイトと、アーチストの楽曲配信を行う配信サイトと、アーチストに関連するチケット、グッズの販売を行う販売サイトとを備えているため、アーチストの各種支援を必要に応じて行うことができる。【００２３】  たとえばアーチストのプロモーションを行うプロモーションサイトを、著名人あるいはその支援企業等の企業ユーザにより構築される公式サイトと、著名人のファン、サポータ等の一般ユーザにより構築される公認サイトとを有するとともに、著名人の種々の情報を蓄積記憶するデータベースを備え、各サイトでの表示、更新、その他を制御を行うことにより、公認サイトに、電子掲示板を付設し、一般ユーザや企業ユーザによる書込、閲覧可能にしているから、簡単な構成であるにもかかわらず、ファン等の一般ユーザ参加型の公認サイトを構築することができる。【００２４】  さらに、アーチストが楽曲配信サーバに自作の楽曲を登録したりすることにより、一般ユーザが自由に選択してダウンロードすることができるとともに、アーチストはサーバ側に登録料を支払い、一般ユーザはアーチストに直接または間接的に支払うようにすることで、簡単なシステム構成であるにもかかわらず、ミュージシャン等のアーチストが有名、無名にかかわらず、自作の楽曲を発表したり売り込んだりすることができるとともに、その管理を簡単かつ適切に行うことができる。【００２５】  さらに、一般ユーザにとっても、比較的安価に嗜好に応じた楽曲を入手できるものであり、アーチストにとっても、一般ユーザにとっても好ましい楽曲配信を行うことができる。【００２６】  また、本発明によれば、アーチストに関連するチケットの発行やグッズの販売等を行える販売サイトを備えていることにより、簡単な構成であるにもかかわらず、イベントチケットを申込、発行を簡便に行えるとともに、当該チケットの多様化を図り、複数種類のチケットを発行することができ、ユーザにとっての利便性を向上させることができる。【００２７】  また、本発明によれば、イベントチケットとして得られる電子チケット、グッズチケット、紙チケットにおいて、偽造防止のためのマークを設けることにより、ダフ屋行為等の不当販売を防止し、また偽造防止を図ることもできる。
【図面の簡単な説明】
【００２８】
【図１】  本発明に係るアーチスト支援システムにおいて配信サイトの一実施形態を示す概略構成図である。
【図２】  本発明に係るアーチスト支援システムにおいてプロモーションサイトの一実施形態を示す概略構成図である。
【図３】  本発明に係るアーチスト支援システムにおいて販売サイトの一実施形態を示す概略構成図である。
【発明を実施するための形態】
【００２９】  図１ないし図３は本発明に係るアーチスト支援システムの一実施形態を示す。
これらの図において、全体を符号１で示すアーチスト支援システムは、インターネット２を介して、アーチスト３、ユーザ５、さらにクライアント７等と適宜接続されて情報の授受を行えるようになっている。
【００３０】  このアーチスト支援システム１は、そのプラットフォーム上に、アーチスト３のプロモーションを行うプロモーションサイト１０と、アーチスト３の楽曲配信を行う配信サイト２０と、アーチスト３に関連するチケット、グッズの販売を行う販売サイト３０とを備えている。そして、このアーチスト支援システム１によれば、プロモーションサイト１０、配信サイト２０、販売サイト３０などを個々に、あるいは併用して用いることにより、トータル的にアーチストの支援を適宜行うことができるように構成されている。
【００３１】  前記各サイトのうち、アーチスト３の楽曲等の配信を行う配信サイト２０の概略構成を、図１を用いて以下に説明する。
すなわち、この配信サイト２０は、アーチスト３がアップロード登録した楽曲を、ユーザ（ファン）５からの要求に応じて配信するための楽曲配信サーバ２１と、アーチスト３がアップロード登録した楽曲を登録、保管するデータベース２２とを備え、アーチスト３がアップロード登録した楽曲を、ユーザ５からの要求に応じて配信するように構成されている。
【００３２】  ここで、アーチスト３とは、有名、無名の如何にかかわらず、自己の登録した楽曲を、一般ユーザ５に配信したいと考えるものであればよく、例えば自己の楽曲を発表、販売したい一般の音楽愛好家も含まれる。
【００３３】  また、アーチスト３は、自己の端末（ＰＣ、その他のアップロード端末）でインターネット２を介してサーバ２０に接続し、通信を行う。また、一般のユーザ５も、ＰＣ、その他の通信端末、スマートフォン等で前記サーバ２１と通信可能に接続する。
【００３４】  前記楽曲配信サーバ２１は、アーチスト３、一般ユーザ５を会員登録する登録管理制御部２３と、データベースから一般ユーザ会員５からの要求に応じて楽曲を配信する配信制御部２４とを備える。さらに、アーチスト会員３から登録した楽曲数に応じた課金、あるいは前記一般ユーザ会員５への楽曲配信に応じた課金を行う課金処理部２５を備える。
【００３５】  ここで、前記課金処理部２５は、前記アーチスト会員３からの登録楽曲数による課金を月、年単位の一定期間毎に行うか、あるいは前記一般ユーザ会員への楽曲配信毎の販売額の一定の割合による課金を行うように構成するとよい。
【００３６】  また、前記課金処理部２５は、一般ユーザ会員５からアーチスト会員３の楽曲ダウンロードにより支払われる料金を代行して徴収する代行処理を行う代行処理部を備えている。すなわち、一般ユーザ会員５は、本システム１の配信サイト２０により、好みに応じた楽曲を選んでダウンロードするのであるが、そのダウンロード時に一般ユーザ会員５が支払う料金を売上金とし、その一定割合（例えば２５％等）を手数料とし、残りをアーチスト会員３への預かり金とする等といった処理を行うようになっている。
勿論、個々のアーチスト会員３が一般ユーザ５から直接受け取ることも可能であるが、煩雑さは避けられないため、当サーバ２１が代行できるように構成するとよい。
【００３７】  以上の構成によれば、配信サイト２０での楽曲配信サーバ２１は、アーチスト会員３から登録した楽曲の登録またはダウンロードに応じて例えば月毎あるいは楽曲配信毎の管理手数料あるいはを受け取り、一般ユーザ５に対して、アーチスト３の楽曲を提供できるものであり、一般ユーザ５は、そのなかから自由に選択して希望する楽曲をダウンロードして、音楽試聴を行うことができ、興趣に富む楽曲配信を行うことができる。
【００３８】  また、前記プロモーションサイト１０は、図２に示すように、アーチスト３、その支援を行う企業ユーザ及びクリエーター等といったクライアント７により構築される公式サイト１１と、著名人のファン、サポータ等の一般ユーザ５により構築される公認サイト１２とを有する。
【００３９】  さらに、このプロモーションサイト１０は、前記アーチスト３の種々の情報を蓄積記憶するデータベース１３と、前記各サイト１１，１２での表示、更新、その他を制御を行う管理サーバ１４を備えている。
【００４０】  前記公認サイト１２には、電子掲示板１５が付設され、一般ユーザや企業ユーザ等による書込、閲覧可能に構成されている。
【００４１】  また、前記公認サイト１２は、一般ユーザ５やクライアント７がユーチューブ（ｙｏｕｔｕｂｅ）、ウィキペディア（ｗｉｋｉｐｅｄｉａ）等の外部サイトコンテンツから流用してまとめるまとめ手段１６が設けられている。このまとめ手段１６は、種々の外部サイトのコンテンツをキュレーションし、表現することで、当該著名人に関する情報などを収集してまとめるところである。
【００４２】  さらに、前記公認サイト１２には、フェイスブック、ツイッタ、ミクシィ等のソーシャルネットサービス（ＳＮＳ）１９が関連付けられ、投稿可能に構成されている。
【００４３】  また、前記公認サイト１２にはプロモーションに参加した一般ユーザ３を「いいね！」、「Ｌｏｖｅ」等のボタン操作に基づきポイントを取得するポイントカウント手段１７と、このポイントカウント手段により取得したポイント数によりランキングするランキング手段１８とが付設されている。このようなポイント取得としては、上述した「いいね！」、「Ｌｏｖｅ」等のボタン操作に限らず、一般ユーザによる様々なプロモーション行動結果に基づいて、ポイント取得を行えるようにすることができる。
【００４４】  上述した構成によるプロモーションサイト１０によれば、ファン、サポータ等の一般ユーザ５は、その著名人に対する情報収集、整理、まとめを行う。すなわち、公認サイト１２がもつ電子掲示板１５に対して、種々の書込を行うとともに、その編集、整理、まとめを行い、プロモーションサイトとして構築する。
【００４５】  このような構成を採用すると、ファン等の一般ユーザ５の参加型である公認サイト１２を構築することができ、しかもその多様化を図ることができる。
特に、ファン、サポータ等の一般ユーザ５が情報収集、整理、まとめを含めた構築、運営を行えるプロモーション用の公認サイトの出現が要望されており、これを満足し得るものである。
【００４６】  また、上述した構成によれば、ファン等の一般ユーザがインターネット上で種々の情報収集（キューレータ）をしたり、「いいね！」、「Ｌｏｖｅ」等のポイントを取得することでランキングを競ったり、プレゼントサービスを活用したりすることが可能で、これによりファン参加型としてのプロモーションネットサービスを多様化し、誰でもが楽しめる著名人プロモーションサイトを構築することができる。
【００４７】  上述したように「いいね！」、「Ｌｏｖｅ」等のポイント、あるいは各種のプロモーション行動結果によるポイントを取得することで、ポイントをカウントし、ランキングすることにより、一般ユーザ３間での競いを高めることにより、プロモーション効果をより一層効果的に図ることができる。しかも、前記ポイントによって、一般ユーザ５に対してプレゼントなどを還元し、結果として一般ユーザ５の励みを高めて、プロモーションサイトとしての効果を高めることができる。
【００４８】  なお、上述した公認サイト１２には、ツイッタ等のソーシャルネットサービス１９を関連づけして併用できるようにし、適宜の書込などを行えるようにすることで、より一層広い範囲での一般ユーザの会員化を図り、著名人のプロモーションを効果的に行えるようにするとよい。
【００４９】  また、前記販売サイト３０は、ユーザ５のイベントチケットの購入申込の受付、ユーザの認証などを行う受付、認証部３１と、ユーザの登録、イベントチケットの種別、席等の登録を行う登録データベース部３２と、チケット料金を決済するための決済部３３と、この決済によりチケット発券処理を行う発券処理部３４とを備えている。
【００５０】  前記発券処理部３４は、電子チケット生成部３５を備え、この電子チケット生成部３５においてチケット情報を含んだ電子チケットを生成し、これをユーザ側の携帯通信端末に送信することにより電子チケットとして使用可能に構成されている。
【００５１】  また、この発券処理部３４は、電子チケット生成部３５と共に、各種のグッズにチケット情報をプリントするグッズプリント部３６を備え、これらの電子チケット、グッズチケットを併用して発行するように構成されている。
【００５２】  前記発券処理部３４は、紙チケットプリント部３７を更に備え、電子チケット、グッズチケットと共に、一般的な紙チケットをも併用して発行し得るように構成してもよい。
【００５３】  前記販売サイト３０は、前記グッズチケット部３６、紙チケットプリント部３７で発行されたチケットを有するグッズ、紙チケットを発送する配送部３８を更に備えている。ここで、グッズチケット部３６としては、例えばＴシャツ等にチケット情報をプリントすることにより、グッズプリントとして活用する。
【００５４】  なお、前記受付、認証部３１では、電話番号等のユーザ情報による認証時に、ユーザ５の顔写真の登録を前提として認証を行い、チケット購入後は当該顔写真の変更は行えないように構成するとよい。
【００５５】  また、前記電子チケット生成部３５、グッズチケット部３６、更に紙チケットプリント部３７において得られるチケット情報には、偽造防止のためのマークを含むようにするとよい。
【００５６】  以上のような構成による販売サイト３０では、チケットの購入は、以下のようにして行う。すなわち、ユーザ５は、サイト３０に対し会員登録を行う。その後、ユーザ５は、サイト３０にアクセスすることにより、希望するチケットの購入を行う。
【００５７】  販売サイト３０では、上記のチケット購入に応じて、電子チケット、あるいはグッズチケットや紙チケットを準備し、ユーザ５に対して電子的チケットを配信したり、グッズチケットや紙チケットを配送するようになっている。
【００５８】  なお、本発明は上述した実施形態で説明した構造には限定されず、アーチスト支援システム１を構成する各部の形状、構造等を適宜変形、変更し得ることはいうまでもない。
たとえば、上述した実施形態では、楽曲１曲についてのアップロード、ダウンロードについて説明したが、アルバム形式による複数曲セットでの登録、配信サービスについての取り扱いを行えるようにすることは自由である。
【００５９】  また、上述した販売サイト３０で発行される電子チケットを利用し、イベント会場でのチェックイン機能を有効に活用し、アーチスト支援をより一層効果的に行えるように構成することもできる。
すなわち、コンサート等のイベント会場において、チェックインした一般ユーザ会員５とその一般ユーザ会員５が支援するアーチスト会員３とを特定でき、また「いいね！」、「Ｌｏｖｅ」等のポイントをゲットした会員５のみを抽出できるから、当該抽出した会員５のみへのプレゼントやメッセージの配布などを行えることになる。これにより、イベントへの動員人数を増やしたりすることも可能で、アーチスト会員３と一般ユーザ会員５との交流の場をより一層広げて、アーチスト会員３の支援につなげることができる。
【符号の説明】
【００６０】  １  アーチスト支援システム
２  インターネット
３  アーチスト
５  一般ユーザ（ユーザ、ファン）
７  クライアント（企業ユーザ等）
１０  プロモーションサイト
２０  配信サイト
２１  楽曲配信サーバ
２２  データベース
２３  登録管理制御部
２４  配信制御部
２５  課金処理部
３０  販売サイト
【図１】
2014120146.tif 000003
【図２】
2014120146.tif 000004
【図３】
2014120146.tif 000005